(57)【特許請求の範囲】
【請求項１】
被験者を撮像するためのｘ線撮像システムであって、
前記被験者の一部分に向かってｘ線放射線を投射するように構成されるｘ線源と、
前記被験者を基準として前記ｘ線源の反対側に配置されて前記被験者を通過するｘ線放
射線を受けるように構成されるパネル検出器とを備え、
前記パネル検出器が、
ｘ線放射線を選択されるスペクトルの光線に変換するシンチレーション層と、
複数の微小電気機械スキャナであって、各微小電気機械スキャナが、対応する可動プ
ラットフォーム上に設置されて前記選択されるスペクトルの光を検出するように構成され
るフォト検出器を有する、複数の微小電気機械スキャナと、
選択される走査パターンで各プラットフォームを移動させるように構成される走査制
御モジュールと
を有する、
ｘ線撮像システム。
【請求項２】
各微小電気機械スキャナの前記選択される走査パターンが、径方向ラスタ走査、異なる
周波数の長方形ラスタ走査、および、渦巻走査から選択される、請求項１に記載のｘ線撮
像システム。
【請求項３】
各微小電気機械スキャナが前記シンチレーション層の対応する領域を走査するように位
置決めされる、請求項１に記載のｘ線撮像システム。
【請求項４】
前記複数の微小電気機械スキャナの一部が重複する走査領域を有するように位置決めさ
れる、請求項３に記載のｘ線撮像システム。
【請求項５】
前記パネル検出器が、前記シンチレーション層が上に堆積されるガラス層と、前記ガラ
ス層に平行に前記ガラス層から離間される基板とを有する、請求項１に記載のｘ線撮像シ
ステム。
【請求項６】
前記パネル検出器が、前記ガラス層と前記基板との間にアモルファスシリコン層を有す
る、請求項５に記載のｘ線撮像システム。
【請求項７】
前記複数の微小電気機械スキャナのうちの少なくとも１つが前記基板上に設置される、
請求項５に記載のｘ線撮像システム。
【請求項８】
前記複数の微小電気機械スキャナのうちの少なくとも１つが前記シンチレーション層の
反対側の前記ガラス層の表面上に設置される、請求項５に記載のｘ線撮像システム。
【請求項９】
前記パネル検出器が、前記シンチレーション層から、前記シンチレーション層の反対側
の前記ガラス層の前記表面上に設置される前記少なくとも１つの微小電気機械スキャナま
で前記光線を反射させるように成形される、前記基板上に設置されるミラー表面を有する
、請求項８に記載のｘ線撮像システム。
【請求項１０】
前記ミラー表面が前記ガラス層に向かって部分的に凹形である、請求項９に記載のｘ線
撮像システム。
【請求項１１】
前記複数の微小電気機械スキャナのうちの少なくとも１つが、前記ガラス層と前記基板
との間に形成される層の外側の側部基板上に設置される、請求項５に記載のｘ線撮像シス
テム。
【請求項１２】
前記パネル検出器が、前記シンチレーション層から、前記側部基板上に設置される前記複数の微小電気機械スキャナのうちの少なくとも１つまで前記光線を反射するように成形される、前記基板上に設置されるミラー表面を有する、請求項１１に記載のｘ線撮像システム。
【請求項１３】
前記ミラー表面が前記ガラス層に向かって部分的に平坦である、請求項１２に記載のｘ線撮像システム。
【請求項１４】
前記シンチレーション層が前記パネル検出器を基準として前記ガラス層の外側表面上に配置される、請求項５に記載のｘ線撮像システム。
【請求項１５】
前記シンチレーション層が前記パネル検出器を基準として前記ガラス層の内側表面上に
配置される、請求項５に記載のｘ線撮像システム。
【請求項１６】
少なくとも１つのフォト検出器がフォトダイオードを有する、請求項１に記載のｘ線撮
像システム。
【請求項１７】
少なくとも１つのフォト検出器がミラーを有する、請求項１に記載のｘ線撮像システム。
【請求項１８】
前記可動プラットフォームが枢動可能である、請求項１に記載のｘ線撮像システム。
【請求項１９】
前記複数の微小電気機械スキャナが異なる感度のフォト検出器を有する、請求項１に記載のｘ線撮像システム。
【請求項２０】
前記複数の微小電気機械スキャナがピンフォトダイオードおよびアバランシェフォトダイオードを有する、請求項１に記載のｘ線撮像システム。
【請求項２１】
被験者を撮像するためのｘ線撮像システムであって、
前記被験者の一部分に向かってｘ線放射線を投射するように構成されるｘ線源と、
前記被験者を基準として前記ｘ線源の反対側に配置されて前記被験者を通過するｘ線放射線を受けるように構成されるパネル検出器とを備え、
前記パネル検出器は、
ｘ線放射線を光線に変換するシンチレーション層、
上に前記シンチレーション層が堆積されるガラス層、
アモルファスシリコンの層、
基板、および
複数の微小電気機械スキャナであって、各微小電気機械スキャナが対応する可動プラットフォーム上に設置されるフォト検出器を有する、複数の微小電気機械スキャナ
を有し、
前記ｘ線撮像システムは、さらに、
選択される走査パターンで各プラットフォームを移動させるように構成される走査制御モジュールと、
画像処理のための読み出し電子モジュールと
を備えるｘ線撮像システム。
【請求項２２】
前記複数の微小電気機械スキャナが前記基板上に設置される、請求項２１に記載のｘ線
撮像システム。
【請求項２３】
前記複数の微小電気機械スキャナが前記ガラス層の内側表面上に設置される、請求項２
１に記載のｘ線撮像システム。
【請求項２４】
少なくとも２つの隣接する微小電気機械スキャナが重複する視野を有する、請求項２１
に記載のｘ線撮像システム。
【請求項２５】
少なくとも１つのフォト検出器が前記可動プラットフォーム上に設置されるフォトダイ
オードを有する、請求項２１に記載のｘ線撮像システム。
【請求項２６】
少なくとも１つのフォト検出器が前記可動プラットフォーム上に設置されるミラーを有
する、請求項２１に記載のｘ線撮像システム。
【請求項２７】
前記可動プラットフォームが枢動可能である、請求項２１に記載のｘ線撮像システム。
【請求項２８】
前記複数の微小電気機械スキャナが異なる感度のフォト検出器を有する、請求項２１に
記載のｘ線撮像システム。
【請求項２９】
ｘ線撮像方法であって、
ガラス層上に堆積されるシンチレーション層および複数の微小電気機械スキャナを有するパネル検出器を提供するステップであって、各微小電気機械スキャナが可動プラットフォーム上に設置されるフォト検出器を有する、ステップと、
ｘ線源から前記シンチレーション層へｘ線放射線を放射するステップであって、被験者が前記ｘ線源と前記パネル検出器との間に位置する、ステップと、
前記シンチレーション層から前記微小電気機械スキャナに向かって、放射される光線を通すステップと、
個別に選択可能な走査パターンで前記シンチレーション層の対応する領域を走査するよ
うに各微小電気機械スキャナを制御するステップと、
前記走査パターンを処理するステップと、
前記被験者の一部分の画像を生成するステップと
を含む方法。
【請求項３０】
重複する視野を有する少なくとも２つの隣接する微小電気機械スキャナを用いて前記シ
ンチレーション層の一領域を走査するステップ
をさらに備える、請求項２９に記載の方法。
【発明の詳細な説明】
【技術分野】
【０００１】
[0001]本開示は、フラットパネル検出器を有する撮像システムを使用して被験者の画像を生成することに関連し、より詳細には、動的に走査される（ｄｙｎａｍｉｃａｌｌｙ  ｓｃａｎｎｅｄ）ｘ線検出器に関する。
【背景技術】
【０００２】
[0002]本セクションは、必ずしも従来技術ではない、本開示に関連する背景技術の情報を提供する。
[0003]人間の患者などの被術者は、患者の解剖学的構造を修正または補強するための外科手技を受けることを選択したりまたはそのような外科手技を受けることを必要としたりする場合がある。解剖学的構造を補強することには、骨を移動および補強すること、移植可能な装置を挿入すること、または、別の適切な手技などの、種々の手技が含まれてよい。外科医は、磁気共鳴映像（ＭＲＩ）システム、コンピュータ断層撮影（ＣＴ）システム、蛍光透視法（例えば、Ｃ−Ａｒｍ撮像システム）、または、別の適切な撮像システムなどの、撮像システムを使用して得られる患者の画像を用いて被術者に対して手技を実施することができる。
【０００３】
[0004]患者の画像は、手技を計画することおよび手技を実施することを含めて外科医が手技を実施する際の補助となり得る。外科医は患者を表現する２次元画像または３次元画像を選択することができる。これらの画像は、外科医が手技を実施するときに重なった組織（皮膚組織および筋肉組織を含む）を取り除くことなく患者の解剖学的構造を視認するのを可能にすることにより、侵襲的度合いを軽減した技術を用いて手技を実施する外科医を補助することができる。
【発明の概要】
【課題を解決するための手段】
【０００４】
[0005]本セクションは本開示の概要を提供するが、その全範囲またはその特徴のすべてを包括的に開示するわけではない。
[0006]本教示は、被験者の一部分に向かってｘ線放射線を投射するように構成されるｘ線源と、被験者を基準としてｘ線源の反対側に配置されて被験者を通過するｘ線放射線を受けるように構成されるパネル検出器とを有する、被験者を撮像するためのｘ線撮像システムを提供する。パネル検出器は、ｘ線放射線を選択されるスペクトルの光線に変換するシンチレーティング層と、複数の微小電気機械スキャナとを有する。各微小電気機械スキャナは、対応する可動プラットフォーム上に設置されて選択される光スペクトルの光を検出するように構成されるフォト検出器を有する。パネル検出器が、選択される走査パターンで各プラットフォームを移動させるように構成される走査制御モジュールを有する。
【０００５】
[0007]本教示はまた、ガラス層上に堆積されるシンチレーティング層と、複数の微小電気機械スキャナとを有するパネル検出器を提供することを含む、ｘ線撮像方法を提供する。各微小電気機械スキャナが可動プラットフォーム上に設置されるフォト検出器を有する。本方法は、ｘ線源とパネル検出器との間に被験者を位置させることと、ｘ線源から放射されるｘ線放射線をシンチレーティング層まで誘導することと、シンチレーティング層から放射される光線を微小電気機械スキャナまで誘導することとを含む。各微小電気機械スキャナは、個別に選択可能な走査パターンでシンチレーティング層の対応する領域を走査するように制御される。走査パターンが処理され、被験者の一部分の画像が生成される。
【０００６】
[0008]一部の実施形態では、微小電気機械スキャナが、フォトダイオードまたはミラーと、電気コイルとを備える異なるフォト検出器を有することができる。プラットフォームが可撓性アクチュエータ（ｆｌｅｘｉｂｌｅ  ａｃｔｕａｔｏｒ）を使用して枢動可能であってよい。
【０００７】
[0009]一部の実施形態では、隣接する微小電気機械スキャナが重複する視野を有するように配置され得る。
[0010]一部の実施形態では、走査パターンが、個別に選択可能な周波数を有する長方形ラスタスキャナを含むことができる。一部の実施形態では、走査パターンが渦巻走査を含むことができる。
【０００８】
[0011]本明細書で提供される説明より別の適用可能領域が明確となる。本概要の記述および個別の実施例は説明のみを目的とすることを意図され、本開示の範囲を限定することを意図されない。
【０００９】
[0012]本明細書で説明される図面は、考えられるすべての実装形態ではなく、選択された実施形態のみを示すためのものであり、本開示の範囲を限定することを意図されない。
【図面の簡単な説明】
【００１０】
【図１】[0013]本教示によるフラットパネル検出器を含む例示の撮像システムを示す環境図である。
【図２】[0014]図１の撮像システムと共に使用される例示のコンピュータシステムを示す図である。
【図３】[0015]フラットパネル検出器に位置合わせされて示される、図１の撮像システムのｘ線源を示す概略図である。
【図４】[0016]図４Ａは従来のフラットパネル検出器を示す概略側断面図である。[0017]図４Ｂは図４Ａの従来技術のフラットパネル検出器を示す概略平面図である。
【図５】[0018]図５Ａは本教示によるフラットパネル検出器を示す概略側断面図である。[0019]図５Ｂは例示のラスタパターンを示している、図５Ａのフラットパネル検出器を示す概略平面図である。
【図６】[0020]本教示によるフラットパネル検出器の別の実施形態を示す概略側断面図である。
【図７】[0021]本教示によるフラットパネル検出器の別の実施形態を示す概略側断面図である。
【図８】[0022]本教示によるフラットパネル検出器の別の実施形態を示す概略側断面図である。
【図９】[0023]本教示によるフラットパネル検出器のための例示のマイクロスキャナ装置を示す概略側断面図である。
【図１０】[0024]本教示によるフラットパネル検出器のための別の例示のマイクロスキャナ装置を示す概略斜視図である。
【発明を実施するための形態】
【００１１】
[0025]図面の複数の図を通して一致する参照符号は対応する部品を示す。
[0026]以下の説明は本質的に単に例示である。図面を通して一致する参照符号が同様の部品および特徴または対応する部品または特徴を示すことを理解されたい。上述したように、本教示は、Ｍｅｄｔｒｏｎｉｃ  Ｎａｖｉｇａｔｉｏｎ，Ｉｎｃ．，Ｌｏｕｉｓｖｉｌｌｅ，ＣＯ，ＵＳＡから市販されるＯ−Ａｒｍ（登録商標）撮像システムなどの撮像システムを対象とする。しかし、本教示がＣ−ａｒｍ撮像装置などの任意の適切な撮像装置に適用可能となり得ることに留意されたい。また、本明細書で使用される「モジュール」という用語は、計算装置によってアクセスされ得るコンピュータ可読媒体、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ（ＡＳＩＣ））、電子回路、プロセッサ（共用プロセッサ、専用プロセッサ、または、グループプロセッサ）、１つもしくは複数のソフトウェアまたはファームウェアプログラムを実行するメモリ、組合せ論理回路、ならびに／あるいは、説明される機能を提供する別の適切なソフトウェア、ファームウェアプログラムまたはコンポーネントを意味することができる。
【００１２】
[0027]本教示は、例えば、放射線透過写真法、蛍光透視法、コンピュータ断層撮影（ＣＴ）、および、円錐ビーム計算機トモグラフィ（ｃｏｎｅ  ｂｅａｍ  ｃｏｍｐｕｔｅｄ  ｔｏｍｏｇｒａｐｈｙ（ＣＢＣＴ））などの医療撮像で使用される撮像システムのための動的に走査されるフラットパネル検出器の種々の実施形態を対象とする。本教示のフラットパネル検出器は、個別に選択されるラスタパターンに従って対象の領域の一部分を走査することができる複数の個別のマイクロスキャナ（フォト検出器を含む）を組み込む。走査される各部分が画像全体の一部分を形成し、画像全体がこれらの個別の部分から一体に繋ぎ合わされる。規則的な固定されるグリッドパターンでフォト検出器レイを有するような従来技術の一部のフラットパネル検出器と比較すると、本教示のフラットパネル検出器は、個別のマイクロスキャナに含まれるフォト検出器の走査パターン、種類および位置を個別に制御することにより、解像度、標本抽出率、画像処理、コスト削減、較正などを制御することにおいて融通性および効率を向上させる。本教示のフラットパネル検出器に含まれるマイクロスキャナは行列状（２次元アレイ）に配置構成され得、微小電気機械システム（ｍｉｃｒｏｅｌｅｃｔｒｏｍｅｃｈａｎｉｃａｌ  ｓｙｓｔｅｍ（ＭＥＭＳ））の原理に基づく。走査モーションは、異なる掃引周波数のスパイラルラスタパターン、径方向ラスタパターン、円形ラスタパターン、または、長方形ラスタパターンから得られる予め選択されるパターンであってよい。マイクロスキャナは、例えば、２つの直交する軸を中心として対応するフォトダイオードを枢動させるためのｘ、ｙ機械的アクチュエータを使用することにより、または、２つの直交する軸を中心としてＭＥＭＳミラーを枢動させるための電気コイルおよび磁石を使用することにより、作動され得る。
【００１３】
[0028]図１〜３が例示のＣＢＣＴ撮像システム１０の種々の構成要素を簡単に示す。図４Ａおよび４Ｂが従来技術のフラットパネル検出器４０を示す。図５〜８が、本教示によるＭＥＭＳベースのフラットパネル検出器１００、１００ａ、１００ｂ、１００ｃの種々の実施形態を示す。図９が、フォトダイオードと、枢動のためのｘ、ｙアクチュエータとを備えるマイクロスキャナ２００を示す。図１０が、磁場作動（ｍａｇｎｅｔｉｃ  ｆｉｅｌｄ  ａｃｔｕａｔｉｏｎ）を使用するミラーを備えるマイクロスキャナ３００を示す。
【００１４】
[0029]図１を参照すると、医療専門家またはアシスタントなどのユーザ１２が人間の患者１４などの被験者に手順を実施することができる。手順を実施する際、ユーザ１２は、手順を実施するための患者１４の画像データを取得するために撮像システム１０を使用することができる。患者１４の取得される画像データには、本明細書で開示される投影を含めた、ｘ線撮像システムを用いて取得される２次元（２Ｄ）投影（ｐｒｏｊｅｃｔｉｏｎ）が含まれてよい。しかし、やはり本明細書で開示されるように、ボリューメトリックモデルの２次元順投影（ｆｏｒｗａｒｄ  ｐｒｏｊｅｃｔｉｏｎ）も生成され得ることを理解されたい。
【００１５】
[0030]一実施例では、取得された画像データを使用してモデルが生成され得る。モデルは、代数的繰返し手法を含めた種々の手法を使用して、取得された画像データに基づいて生成される３次元（３Ｄ）ボリューメトリックモデルとなり得、それにより、表示される画像データ１８として参照される、ディスプレイ上に表示可能な画像データが生成される。表示される画像データ１８はディスプレイ装置２０上に表示され得、さらには、撮像計算システム３２に付随するディスプレイ装置３２ａ上に表示され得る。表示される画像データ１８は、２Ｄ画像、３Ｄ画像、または、時間変化する４次元画像となり得る。表示される画像データ１８はまた、取得される画像データ、生成される画像データ、その両方、あるいは、両方の種類の画像データのマージングを含むことができる。
【００１６】
[0031]患者１４の取得される画像データが例えばｘ線撮像システムを用いて２Ｄ投影として取得され得ることを理解されたい。次いで、２Ｄ投影が、患者１４の３Ｄボリューメトリック画像データを再構成するのに使用され得る。また、３Ｄボリューメトリック画像データから理論的または２Ｄ順投影（ｆｏｒｗａｒｄ  ２Ｄ  ｐｒｏｊｅｃｔｉｏｎ）が生成され得る。したがって、画像データが２Ｄ投影または３Ｄボリューメトリックモデルのいずれかまたは両方となり得ることを理解されたい。
【００１７】
[0032]ディスプレイ装置２０は計算システム２２の一部であってよい。計算システム２２は種々のコンピュータ可読媒体を含むことができる。コンピュータ可読媒体は計算システム２２によってアクセスされ得る入手可能な任意の媒体であってよく、揮発性媒体および不揮発性媒体の両方と、取り外し可能媒体および非取り外し可能媒体とを含むことができる。コンピュータ可読媒体は、例えば、コンピュータ記憶媒体および通信媒体を含むことができる。記憶媒体には、限定しないが、ＲＡＭ、ＲＯＭ、ＥＥＰＲＯＭ、フラッシュメモリまたは別のメモリテクノロジ、ＣＤ−ＲＯＭ、デジタル多用途ディスク（ＤＶＤ）または別の光学ディスクストレージ、磁気カセット、磁気テープ、磁気ディスクストレージまたは別の磁気記憶装置、あるいは、コンピュータ可読命令、ソフトウェア、データ構造、プログラムモジュールおよび別のデータを記憶するのに使用され得かつ計算システム２２によってアクセスされ得る任意の別の媒体が含まれる。コンピュータ可読媒体は直接にアクセスされ得るか、または、インターネットなどのネットワークを介してアクセスされ得る。
【００１８】
[0033]一実施例では、計算システム２２は、キーボードなどの入力装置２４と、計算システム２２に組み込まれ得る１つまたは複数のプロセッサ２６（この１つまたは複数のプロセッサには、マルチプルプロセッシングコアプロセッサ、マイクロプロセッサなどが含まれてよい）とを含むことができる。入力装置２４には、タッチパッド、タッチペン、タッチスクリーン、キーボード、マウス、ジョイスティック、トラックボール、ワイヤレスマウス、音声制御、または、これらの組合せなどの、計算システム２２にユーザをインターフェースさせるのを可能にする任意の適切な装置が含まれてよい。また、計算システム２２はディスプレイ装置２０から離れた入力装置２４を備えるものとして本明細書で説明されて示されるが、計算システム２２はタッチパッドまたはタブレット計算装置を備えることができ、また、計算システム２２は、撮像システム１０に付随する撮像計算システム３２内に組み込まれ得るかまたはその一部であってもよい。データ通信のために、有線または無線接続部２８が計算システム２２とディスプレイ装置２０との間に設けられ得、それにより、画像データ１８を示すようにディスプレイ装置２０を駆動させることが可能となる。
【００１９】
[0034]Ｏ−Ａｒｍ（登録商標）撮像システムまたは選択される手順で使用される別の適切な撮像システムを含めた、撮像システム１０は、２００９年５月１３日に出願された、「Ｓｙｓｔｅｍ  Ａｎｄ  Ｍｅｔｈｏｄ  Ｆｏｒ  Ａｕｔｏｍａｔｉｃ  Ｒｅｇｉｓｔｒａｔｉｏｎ  Ｂｅｔｗｅｅｎ  Ａｎ  Ｉｍａｇｅ  Ａｎｄ  Ａ  Ｓｕｂｊｅｃｔ」と題される、米国特許公開第２０１０−０２９０６９０号である米国特許出願第１２／４６５，２０６号でも説明されており、これは参照により本明細書に組み込まれる。Ｏ−Ａｒｍ撮像システムまたは別の適切な撮像システムに関するさらなる説明は、米国特許第７，１８８，９９８号、米国特許第７，１０８，４２１号、米国特許第７，１０６，８２５号、米国特許第７，００１，０４５号および米国特許第６，９４０，９４１号で見ることができ、これらの各々が参照により本明細書に組み込まれる。
【００２０】
[0035]図１〜８を参照すると、撮像システム１０が、撮像計算システム３２を含む可動カート３０、ならびに、供給源３６と、コリメータ３７と、本教示のフラットパネル検出器１００、１００ａ、１００ｂ、１００ｃのうちの１つと、ロータ３５とを備える撮像ガントリ３４を含むことができる。単純さのため、図１〜３ではフラットパネル検出器１００が参照されるが、別の実施形態１００ａ、１００ｂおよび１００ｃのいずれも使用され得る。図１を参照すると、可動カート３０が１つのオペレーティングシアタまたはオペレーティングルームから別のオペレーティングシアタまたはオペレーティングルームに移動され得、ガントリ３４が本明細書でさらに考察するように可動カート３０に関連させて移動され得る。これにより撮像システム１０を可動とすることが可能となり、固定される撮像システムのための資本支出または空間を必要とすることなく、複数の場所で、多数の手順で使用され得るようになる。
【００２１】
[0036]継続して図１を参照すると、ガントリ３４が撮像システム１０のアイソセンターを画定することができる。この点に関して、ガントリ３４を通る中心線Ｃ１が撮像システム１０のアイソセンターまたは中心を画定することができる。一般に、患者１４はガントリ３４の中心線Ｃ１に沿うように配置され得、その場合、患者１４の長手方向軸が撮像システム１０のアイソセンターに位置合わせされ得る。
【００２２】
[0037]図２を参照すると、撮像計算システム３２の例示の実施形態を示す図が提供され、この構成要素の一部またはすべてが本開示の教示に関連して使用され得る。撮像計算システム３２は種々のコンピュータ可読媒体を有することができる。コンピュータ可読媒体は撮像計算システム３２によってアクセスされ得る入手可能な任意の媒体であってよく、揮発性媒体および不揮発性媒体の両方と、取り外し可能媒体および非取り外し可能媒体とを含むことができる。例として、限定しないが、コンピュータ可読媒体はコンピュータ記憶媒体および通信媒体を備えることができる。記憶媒体には、限定しないが、ＲＡＭ、ＲＯＭ、ＥＥＰＲＯＭ、フラッシュメモリまたは別のメモリテクノロジ、ＣＤ−ＲＯＭ、デジタル多用途ディスク（ＤＶＤ）または別の光学ディスクストレージ、磁気カセット、磁気テープ、磁気ディスクストレージまたは別の磁気記憶装置、あるいは、コンピュータ可読命令、ソフトウェア、データ構造、プログラムモジュールおよび別のデータを記憶するのに使用され得かつ撮像計算システム３２によってアクセスされ得る任意の別の媒体が含まれる。コンピュータ可読媒体は直接にアクセスされ得るか、または、インターネットなどのネットワークを介してアクセスされ得る。
【００２３】
[0038]一実施例では、撮像計算システム３２はディスプレイ装置３２ａおよびシステムユニット３２ｂを備える。示されるように、ディスプレイ装置３２ａはコンピュータビデオスクリーンまたはモニタを備えることができる。また、撮像計算システム３２は少なくとも１つの入力装置３２ｃを有することができる。システムユニット３２ｂは、分解図に示されるように、プロセッサ９２およびメモリ９４を有し、これらは、図２に示されるように画像制御モジュール９６およびデータ９８を備えるソフトウェアを有することができる。
【００２４】
[0039]この実施例では、少なくとも１つの入力装置３２ｃがキーボードを備える。しかし、少なくとも１つの入力装置３２ｃは、タッチパッド、タッチペン、タッチスクリーン、キーボード、マウス、ジョイスティック、トラックボール、ワイヤレスマウス、音声制御、または、これらの組合せなどの、撮像計算システム３２にユーザをインターフェースさせるのを可能にする任意の適切な装置を備えることができる。また、撮像計算システム３２はディスプレイ装置３２ａを備えるシステムユニット３２ｂを備えるものとして本明細書で説明されて示されるが、撮像計算システム３２はタッチパッドまたはタブレット計算装置を備えることもでき、または、ディスプレイ装置２０を使用することもできる。
【００２５】
[0040]簡単には、図１および３を参照すると、供給源３６が、患者１４を通過してフラットパネル検出器１００によって検出されるためのｘ線を放射することができる。ｘ線は円錐ビームとして供給源３６によって放射され得、フラットパネル検出器１００によって検出されるようにするために任意選択のコリメータ３７によってさらに成形され得る。例示のコリメータ３７は、Ｃｏｌｌｉｍａｒｅ  Ｅｎｇｉｎｅｅｒｉｎｇ  ｏｆ  Ｗｈｅａｔ  Ｒｉｄｇｅ，ＣＯ，ＵＳＡによって販売されるＣｏｍｐａｃｔ  Ｓｑｕａｒｅ  Ｆｉｅｌｄ  Ｃｏｌｌｉｍａｔｏｒの市販のものであり、Ｍｅｄｔｒｏｎｉｃ  Ｎａｖｉｇａｔｉｏｎ，Ｉｎｃ．  ｏｆ  Ｌｏｕｉｓｖｉｌｌｅ，ＣＯ，ＵＳＡによって販売されるＯ−Ａｒｍ（登録商標）撮像システムに含まれる。簡単には、コリメータ３７は、供給源３６によって放射されるｘ線を成形するように制御され得る１つまたは複数のリーフを有することができる。考察されるように、コリメータ３７は、供給源３６によって放射されるｘ線をフラットパネル検出器１００の形状に対応するビームに成形するのに使用され得る。供給源３６、コリメータ３７およびフラットパネル検出器１００は各々がロータ３５に結合され得る。
【００２６】
[0041]概して、フラットパネル検出器１００は、ガントリ３４内で供給源３６およびコリメータ３７に対して正反対となるようにロータ３５に結合され得る。フラットパネル検出器１００は、概して矢印Ｅの方向に、患者１４の周りの３６０°のモーションで回転方向に移動することができ、供給源３６およびコリメータ３７はフラットパネル検出器１００に合わせて移動することができ、したがって、供給源３６およびコリメータ３７はフラットパネル検出器１００から概して１８０°離間される反対側にあり続ける。
【００２７】
[0042]ガントリ３４は、患者支持器またはテーブル１５上に配置され得る患者１４を基準として概して矢印Ａの方向に等角的に（ｉｓｏｍｅｔｒｉｃａｌｌｙ）揺動（ｓｗａｙ）またはスイングすることができる（本明細書では等角揺動（ｉｓｏｓｗａｙ）とも称される）。また、ガントリ３４は矢印Ｂで示されるように患者１４に対して傾斜することができ、また、患者１４および可動カート３０を基準として線Ｃに沿って長手方向に移動することができ、また、可動カート３０を基準として患者１４に対して横方向に概して線Ｄに沿って上下に移動することができ、また、患者１４を基準として矢印Ｆの方向に概して垂直方向に移動することができ、それにより、患者１４を基準として供給源３６、コリメータ３７およびフラットパネル検出器１００を位置決めすることが可能となる。
【００２８】
[0043]撮像システム１０は、患者１４の正確な画像データを生成することを目的として患者１４を基準として供給源３６、コリメータ３７およびフラットパネル検出器１００を移動させるために、撮像計算システム３２によって正確に制御され得る。さらに、撮像システム１０は接続部３１を介してプロセッサ２６に接続され得、接続部３１には、撮像システム１０からプロセッサ２６までの有線または無線接続あるいは物理媒体転送が含まれてよい。したがって、撮像システム１０を用いて回収された画像データは、さらに、ナビゲーション、表示、再構成などのために、撮像計算システム３２から計算システム２２に転送され得る。
【００２９】
[0044]簡単には、図１を継続して参照すると、種々の実施形態によると、撮像システム１０はナビゲートされない手順またはナビゲートされる手順で使用され得る。ナビゲートされる手順では、光学ローカライザ６０および電磁ローカライザ６２のいずれかまたは両方を含むローカライザが、フィールドを生成することあるいは患者１４を基準にしたナビゲーションドメイン内で信号を受信または送信することのために、使用され得る。所望される場合、ナビゲートされる手順を実施することに関連する構成要素は撮像システム１０に組み込まれ得る。患者１４を基準とするナビゲートされる空間またはナビゲーショナルドメインは画像データ１８に登録され得、それにより、ナビゲーショナルドメイン内に画定されるナビゲーション空間および画像データ１８によって画定される画像空間を登録することが可能となる。患者トラッカ（ｐａｔｉｅｎｔ  ｔｒａｃｋｅｒ）または動的基準フレーム６４が患者１４に接続され得、それにより、患者１４を画像データ１８に動的に登録することおよびその登録を維持することが可能となる。
【００３０】
[0045]この場合、ナビゲートされる手順を可能にするために、機器６６が患者１４を基準として追跡され得る。機器６６は、光学ローカライザ６０または電磁ローカライザ６２のいずれかまたは両方を用いて機器６６を追跡するのを可能にするための光学追跡装置６８および／または電磁追跡装置７０を有することができる。機器６６は、電磁ローカライザ６２および／または光学ローカライザ６０に通信され得るナビゲーションインターフェース装置７４を備える通信ライン７２を有することができる。通信ライン７２、７８をそれぞれ使用することにより、ナビゲーションインターフェース装置７４が通信ライン８０を備えるプロセッサ２６と通信することができる。接続部または通信ライン２８、３１、７６、７８または８０のいずれも、無線、有線、物理媒体による伝送または移動、あるいは、任意の別の適切な通信であってよいことを理解されたい。しかし、手順を実施するための画像データ１８に関連する機器６６の追跡される位置を示すのを可能にすることを目的として患者１４を基準として機器６６を追跡するのを可能にするために、それぞれのローカライザに適切な通信システムが設けられてもよい。
【００３１】
[0046]機器６６が介入的機器および／またはインプラントであってよいことを理解されたい。インプラントには、心室ステント（ｖｅｎｔｒｉｃｕｌａｒ  ｓｔｅｎｔ）または血管ステント、脊椎インプラント、または、神経ステント（ｎｅｕｒｏｌｏｇｉｃａｌ  ｓｔｅｎｔ）などが含まれてよい。機器６６は、深部脳刺激装置または神経学的刺激装置、アブレーション装置、あるいは、別の適切な機器などの、介入的機器であってよい。機器６６を追跡することにより、患者１４の中の機器６６を直接に視認することなく、登録された画像データ１８を使用して患者１４を基準とした機器６６の位置を視認することが可能となる。例えば、機器６６は画像データ１８に重ね合わされるアイコンとして図的に示され得る。
【００３２】
[0047]また、撮像システム１０は、それぞれの光学ローカライザ６０または電磁ローカライザ６２を用いて追跡されるための光学追跡装置８２または電磁追跡装置８４などの追跡装置を有することができる。追跡装置８２、８４は、選択される基準フレームを基準として、供給源３６、フラットパネル検出器１００、ロータ３５および／またはガントリ３４の場所または位置を決定するために、供給源３６、フラットパネル検出器１００、ロータ３５、ガントリ３４、または、撮像システム１０の別の適切な部分に直接に付随してよい。示されるように、追跡装置８２、８４はガントリ３４のハウジングの外側に配置され得る。したがって、撮像システム１０は、画像データ１８に対して患者１４を最初に登録すること、自動で登録することまたは継続的に登録することを可能にするために、器具６６で可能であるのと同様に、患者１４を基準として追跡され得る。登録およびナビゲートされる手順は、上で組み込まれた、２００９年５月１３日に出願された米国特許出願第１２／４６５，２０６号で考察されている。
【００３３】
[0048]一実施例では、画像データ１８は単一の２Ｄ画像を含むことができる。別の実施例では、画像制御モジュール９６が、患者１４の対象の領域の最初の３次元モデルの自動の再構成を実施することができる。３次元モデルの再構成は、最適化のための代数的手法を使用するなどの任意の適切な形式で実施され得る。適切な代数的手法には、期待最大化（Ｅｘｐｅｃｔａｔｉｏｎ  ｍａｘｉｍｉｚａｔｉｏｎ（ＥＭ））、順序部分集合ＥＭ（Ｏｒｄｅｒｅｄ  Ｓｕｂｓｅｔｓ  ＥＭ（ＯＳ−ＥＭ））、同時代数的再構成手法（Ｓｉｍｕｌｔａｎｅｏｕｓ  Ａｌｇｅｂｒａｉｃ  Ｒｅｃｏｎｓｔｒｕｃｔｉｏｎ  Ｔｅｃｈｎｉｑｕｅ（ＳＡＲＴ））、および、全変動最小化（ｔｏｔａｌ  ｖａｒｉａｔｉｏｎ  ｍｉｎｉｍｉｚａｔｉｏｎ）が含まれる。２Ｄ投影に基づいて３Ｄボリューメトリック（ｖｏｌｕｍｅｔｒｉｃ）再構成を実施するのに適用することにより、ボリューメトリック再構成を効率的に完全に実施することが可能となる。
【００３４】
[0049]概して、代数的手法には、画像データ１８として表示するために患者１４の再構成を実施するための反復プロセスが含まれてよい。例えば、「理論的」な患者のアトラスモデル（ａｔｌａｓ  ｍｏｄｅｌ）または定型化されるモデルに基づくかまたはそのようなモデルから生成されるような、純粋な画像データ投影または理論的画像データ投影は、理論的投影画像が患者１４の取得される２Ｄ投影画像データに適合するようになるまで、反復的に変更され得る。ここでは、定型化されるモデルは選択される患者１４の取得される２Ｄ投影画像データの３Ｄボリューメトリック再構成モデルとして適切に変更され得、外科的介入、例えばナビゲーション、診断または計画で使用され得る。この点に関して、定型化されるモデルは患者１４の解剖学的構造に関する追加の詳細を提供することができ、これはユーザが外科的介入をより大幅に効率的に計画するのを可能にすることができる。理論的モデルは、理論的モデルを構成するための理論的画像データに関連付けられ得る。このようにして、モデルまたは画像データ１８が、撮像システム１０を用いて、患者１４の取得される画像データに基づいて構築され得る。画像制御モジュール９６がディスプレイ装置３２ａに画像データ１８を出力することができる。
【００３５】
[0050]図４Ａおよび４Ｂを参照すると、例示の従来技術のフラットパネル検出器４０が図的に示される。フラットパネル検出器４０は、図３の供給源３６などのｘ線源からｘ線を受ける（被験者１４を通過した後）ように配置されるシンチレーション層４２と、電子層４６を有するガラス層４４とを有することができる。シンチレーション層４２は、ガラス層４４上に直接に堆積されるシンチレーション材料の層である。シンチレーション層４２は、例えば、オキシ亜硫酸ガドリニウム（ｇａｄｏｌｉｎｉｕｍ  ｏｘｙｓｕｌｆｉｔｅ）層またはヨウ化セシウム（Ｃｓｌ）層であってよい。電子層４６は、薄膜トランジスタ（Ｔｈｉｎ  Ｆｉｌｍ  Ｔｒａｎｓｉｓｔｏｒｓ（ＴＦＴ））４８のアレイなどの特定用途向け集積回路（ＡＳＩＣＳ）のアレイを含むことができ、走査制御モジュール５２および読み出しモジュール５０に接続される。より具体的には、シンチレーティング層４２はｘ線源から入射されるｘ線（被験者を通過する）を受けるように配置され、ｘ線を、ガラス層４４を通過するような光量子または光線に変換する。ガラス層４４は、電子層４６の一部分である、行列状の規則的なグリッド（図４Ｂに示される）で配置構成される多数のＴＦＴ４８をインプリントされたアモルファスシリコンで被覆されてよい。ＴＦＴ４８の各々が、個別のピクセル（画素）に対応するフォトダイオードに取り付けられる。ＴＦＴ４８内のフォトダイオードに衝突する光子は多様な強度を有し、電荷（電子）などの電気信号に変換され、この電荷がフォトダイオードの静電容量内に保存され、光子の多様な強度に対応する電気パターンを生成する。ＴＦＴ／フォトダイオード４８は、走査制御モジュール５２を使用して一方向において一度に１つのライン（行または列など）を順番に走査する。ＴＦＴ４８は、読み出しモジュール５０に結合されるデータラインに対して、選択される行（または、列）内の各ピクセルから保存される電荷を放電するスイッチとして機能する。各データラインの端部で、増幅器が電荷を電圧に変換する。読み出しモジュール５０は、プログラム可能ゲインステージと、電圧を、コンピュータディスプレイ内にデジタル画像を生成することができるデジタル数字に変換するアナログ−デジタルコンバータ（ＡＤＣ）とを有することができる。従来技術のフラットパネル検出器４０では、ＡＳＩＣＳが１つのグリッドに位置合わせされ、固定されたサイズを有する集光ピクセル（ｌｉｇｈｔ  ｃｏｌｌｅｃｔｉｎｇ  ｐｉｘｅｌ）の一領域を形成する。
【００３６】
[0051]従来技術のフラットパネル検出器４０とは異なり、本教示は、狭い受光角を有するフォト検出器を含むマイクロスキャナまたはＭＥＭＳスキャナ１０６を使用する種々のフラットパネル検出器１００、１００ａ、１００ｂ、１００ｃ（図５〜８）を提供し、ここでは、各フォト検出器がシンチレーション層の小さい領域から光を回収し、各ＭＥＭＳスキャナ１０６のために較正、走査パターン、および、標本抽出率が制御され得る。対応するＭＥＭＳスキャナによって走査される各領域が画像の１ブロックを生成し、従来技術のフラットパネル検出器４０と同様にこれらのブロックを繋ぎ合わせることによって画像全体が生成される。シンチレーション層４２の対象の領域の一部が、重複する視野を有する２つの（または、それ以上）ＭＥＭＳスキャナによって走査され得る。ＭＥＭＳスキャナは線形アクチュエータおよび枢動装置を有することができ、例えば、図５Ｂに示されるように、多様な掃引周波数の長方形形状の走査ラスタパターン１２２ａ、１２２ｂ、１２２ｃ、スパイラルラスタパターン１２０、または、別のラスタパターンを可能にすることができる。
【００３７】
[0052]図５Ａを参照すると、本教示のＭＥＭＳ検出器１００が、シンチレーティング層１０２と、内側表面１０５および外側表面１０９を有するガラス層１０４とを有する。シンチレーティング層が被験者を通過するｘ線を受け、ガラス層１０４を通る特定のスペクトルの光を生成するように発光する。光線は、人間の目に可視であるかまたは不可視であるスペクトルであってよい。シンチレーティング層１０２から放射される光のスペクトルは、選択されるシンチレーティング層１０２の固有の構成によって決定される。この光は、ＭＥＭＳスキャナ（ＭＥＭＳ  ＴＦＴ）１０６を支持する硬化された基板１１０上にあるアモルファスシリコン層１０８を通過する光線１０１として示される。基板１１０はガラス層１０４に実質的に平行であってよい。ＭＥＭＳフラットパネル検出器１００は、ＭＥＭＳ制御モジュール１５２と、読み出し電子モジュール１５０とを有する。ＭＥＭＳ制御モジュール１５２は各ＭＥＭＳスキャナ１０６に結合され、１つの軸または２つの直交する軸を中心として枢動するために（１０７のところに示される）２つの直交方向で線形アクチュエータを制御し、上で考察したように、図５Ｂに示されるような、多様な走査ラスタパターン（長方形ラスタパターン１２２ａ、１２２ｂ、１２２ｃおよびスパイラルラスタパターン１２０を含む）を生成する。図９および１０にＭＥＭＳスキャナ２００、３００の例示の実施形態が図的に示されており、以下でこれらを考察する。ＭＥＭＳ検出器１００に含まれるＭＥＭＳスキャナ１０６は多様であってよく、例えば、ピンダイオードおよびアバランシェフォトダイオードを含めた、多様な感度を有する多様な種類のフォトダイオードを含む。また、フォト検出器は、多様なシンチレーティング層１０２から放射される多様な光スペクトルを検出するように選択され得る。ＭＥＭＳスキャナは、隣接するＭＥＭＳスキャナ１０６との間で重複領域１０３を生成するように互いに十分に接近するように、または、隣接するＭＥＭＳスキャナ１０６の間で重複しないように十分に離間されるように、多様な距離となるように位置決めされ得る。この点に関して、特定の対象領域は、異なる感度を有する２つの異なる種類のフォトダイオード（アバランシェフォトダイオードおよび標準的なフォトダイオード）によって掃引され得るか、または、単純に、等しい感度を有する２つのフォトダイオードを用いて同じ領域をオーバーサンプリングすることもできる。このようにして、ＡＤＣの選択される標本抽出率によって制御される解像度で特定の対象領域が撮像され得、それにより画像処理に融通性および創造性がもたらされる。
【００３８】
[0053]以下で、差異を強調する図６〜８を参照しながら、本教示のＭＥＭＳフラットパネル検出器１００の追加の実施形態１００ａ、１００ｂ、１００ｃを説明するが、類似の特徴は繰り返し説明されない。
【００３９】
[0054]図６を参照すると、本教示によるＭＥＭＳフラットパネル検出器１００ａの別の実施形態が示される。この実施形態では、ＭＥＭＳスキャナ１０６（１０６ａ）はガラス層１０４の下方でガラス層１０４の内側表面ｌ１０５のところに取り付けられ、反対側の外側表面１０９にはシンチレーティング層１０２が堆積される。図５の実施形態と同様にｘ線がシンチレーション層１０２を通過するが、シンチレーティング層１０２からの光量子が、ＭＥＭＳフラットパネル検出器１００ａの基盤に取り付けられるミラー表面に当たって反射され、反射された光線１０１がＭＥＭＳマイクロスキャナ１０６によって検出される。反射された光線１０１は、ガラス層１０４の下方にＭＥＭＳスキャナ１０６ａを直接に配置することによって起こり得るようないかなるシャドーイングも回避することができる。ミラー表面１３０はＭＥＭＳスキャナ１０６ａに向かって凹形であってよい。具体的には、ミラー表面１３０は、反射された光線１０１のすべてまたは大部分をＭＥＭＳスキャナ１０６ａの方に誘導しかつＭＥＭＳフラットパネル検出器１００ｂの縁部により損失を回避するように、成形され得る。
【００４０】
[0055]図７を参照すると、本教示によるＭＥＭＳフラットパネル検出器１００ｂの別の実施形態が示される。この実施形態では、１つまたは複数のＭＥＭＳスキャナ１０６（１０６ｂ）が、ガラス層１０４とミラー表面１３０との間の領域の外側の一方の側部にあるＭＥＭＳフラットパネル検出器１００ｂの側部パネル１２５上に配置される。ミラー表面１３０は、反射された光線１０１を側部ＭＥＭＳスキャナ１０６ｂの方に誘導するように成形され得る。図７の例示の実施形態では、ミラー表面１３０は基板１１０に取り付けられる傾斜する平坦な表面として示される。ＭＥＭＳスキャナ１０６ｂを側部に配置することにより、ＭＥＭＳフラットパネル検出器１００ｂを製造することが単純化され得、対象領域の端部領域を走査および制御することが促進され得る。図６および７の実施形態が組み合わされ得、ＭＥＭＳフラットパネル検出器が側部ＭＥＭＳスキャナ１０６ｂおよび下方にあるガラスＭＥＭＳスキャナ１０６ａの両方を有し、ミラー表面１３０が、反射された光をＭＥＭＳスキャナ１０６ｂおよび１０６ａの両方の位置まで誘導するのに対応するように成形され得ることを認識されたい。
【００４１】
[0056]図８を参照すると、本教示によるＭＥＭＳフラットパネル検出器１００ｃの別の実施形態が示される。この実施形態では、１つまたは複数のＭＥＭＳスキャナ１０６（１０６ｃ）が、ガラス層１０４の内側表面１０５に取り付けられるシンチレーティング層１０２の上方で、被験者を通過するｘ線の誘導経路内においてｘ線透過基板１００上に配置される。この実施形態では、ｘ線は基板１１０を通過してシンチレーティング層１０２に当たり、シンチレーティング層１０２が発光して光線１０１を放射する。次いで、光線１０１がＭＥＭＳスキャナ１０６によって検出され、図５Ａおよび５Ｂを参照して上で説明したように処理される。
【００４２】
[0057]図９および１０を参照すると、図５〜８で参照されるＭＥＭＳスキャナ１０６の例示の実施形態２００、３００が図的に示される。図９を参照すると、ＭＥＭＳスキャナ２００が、レンズ２０４を備えるフォトダイオード２０６の形態のフォトダイオードを有することができる。レンズ２０４は、広角発散レンズまたは焦点長が固定される集光レンズ、あるいは、特定の用途のために選択される任意の別のレンズであってよい。また、シースまたはマスク２０２が、レンズ２０４を保護することおよび／あるいは視野を狭くするかまたは最適化することに使用され得る。フォトダイオード２０６が、例えば、図５のフラットパネル検出器１００の基板１１０などの基板の上または別の表面の上で移動可能に支持されるプラットフォーム２０８上に設置され得、ＭＥＭＳスキャナ２００が、ＭＥＭＳフラットパネル検出器１００、１００ａ、１００ｂ、１００ｃの上で説明した実施形態に従って設置され得る。図９の実施形態では、プラットフォーム２０８を移動させることは、一般的なピボットまたはヒンジ２２０、一対のｘ軸アクチュエータ２１０、および、一対のｙ軸アクチュエータ２１０’（図示しないが、図９の平面に対して垂直なプラットフォーム２０８に直交するように位置合わせされる）により、実施され得る。ｘアクチュエータ２１０およびｙアクチュエータ２１０’は、図５Ａに示されるＭＥＭＳ制御モジュール１５２などの対応するＭＥＭＳ制御モジュールにより細長いコネクタ２１２を介して起動され得る。アクチュエータ２１０、２１０’はコネクタ２１２を通して伝送されるパルス信号を用いて起動され得、２つの直交する軸（ｘ軸およびｙ軸）を中心にプラットフォームを枢動させるのを可能にする。プラットフォーム２０８は、例えば、図５Ｂに示されるように、固有周波数の長方形または正方形ラスタ走査または渦巻走査などの所定のパターンで移動するように作動され得る。ＭＥＭＳスキャナ２００のフットプリントの面積は平方ミリメートル程度となり得、ＭＥＭＳフラットパネル検出器は３０×４０ｃｍ２または４０×４０ｃｍ２程度の寸法を有する。
【００４３】
[0058]図１０を参照すると、ＭＥＭＳスキャナ３００の別の実施形態が示される。ＭＥＭＳスキャナが、第１および／または第２の軸（ｘ軸およびｙ軸）を基準として振動することができるディスク形状のミラー３３０の形態のフォト検出器を有する。ミラー３３０が可撓性要素３２２を用いてフレーム３２０上で支持され得る。フレーム３２０は薄い可撓性磁気層を有することができ、ばね３１６を介してカラム３１４上の可撓性要素３１８によって支持され得る。カラム３１４は固定される基板から延在することができるか、または、周りに電気コイルが巻かれてフラックスジェネレータを形成するコア３１０の一部分から延在してもよい。ポートＰ１およびＰ２を通って交流が流れることができ、磁場が誘起され得る。得られる力により、フレームを基準として、ｘ軸を中心としてフレーム３２０を回転させることができ、ｙ軸を中心としてミラー３３０を回転させることができる。フレーム３２０はネットトルクを発生させるために電気コイルの中心からわずかにオフセットされて配置され得る。ミラーを使用するＭＥＭＳスキャナの詳細は、例えば、Ｙａｌｃｉｎｋａｙａら編、”ＮｉＦｅ  Ｐｌａｔｅｄ  Ｂｉａｘｉａｌ  ＭＥＭＳ  Ｓｃａｎｎｅｒ  ｆｏｒ  ２−Ｄ  Ｉｍａｇｉｎｇ”，ＩＥＥＥ  Ｐｈｏｔｏｎｉｃｓ  Ｔｅｃｈｎｏｌｏｇｙ  Ｌｅｔｔｅｒｓ，  Ｖｏｌ．１９，Ｎｏ．５，Ｍａｒｃｈ  １，２００７、３３０〜３３２ページ、に見られ、これは参照により明細書に組み込まれる。種々のミラーベースのＭＥＭＳスキャナが市販されており、例えば、Ｍｉｃｒｏｖｉｓｉｏｎ，Ｒｅｄｍｏｎｄ，ＷＡ，ＵＳＡから市販されている。
【００４４】
[0059]まとめると、本発明の教示は、患者のＣＢＣＴ撮像を含めたｘ線ベースの撮像のための種々のＭＥＭＳフラットパネル検出器１００、１００ａ、１００ｂ、１００ｃを提供する。ＭＥＭＳフラットパネル検出器は、２次元アレイの複数の同一のまたは異なるＭＥＭＳスキャナ１０６（ＭＥＭＳスキャナ２００、３００を含む）を有することができ、これらは、複数の選択される位置で種々の異なる走査パターンで作動され得、これらの位置には、重複する視野を提供して重複走査を可能にするように設計される位置が含まれ、それにより、走査がカスタマイズされ、解像度が変更され、信号対雑音比および取得測度が制御される。また、重複領域１０３を有する異なるＭＥＭＳスキャナ１０６からの２つの異なるゲインを用いて同じ領域を走査することにより、画像処理が改善され得る。したがって、本教示のＭＥＭＳフラットパネル検出器は製造を単純化することができ、対象領域を画像走査すること、コスト削減すること、較正処理および画像処理を軽減することに融通性がもたらされる。
【００４５】
[0060]特定の実施例を本明細書で説明して図面で示してきたが、本教示の範囲から逸脱することなく種々の変更がなされ得、本発明の要素が均等物で代用され得ることを当業者であれば理解するであろう。また、種々の実施例の間で特徴、要素および／または要素が混合されて適合されることは本明細書で明白に企図され、したがって、上記で特に説明されない限り、一実施例の特徴、要素および／または機能が別の実施例に適切に組み込まれ得ることを当業者であれば本教示から認識するであろう。さらに、本教示の本質的な範囲から逸脱することなく特定の状況または材料を本教示に適合させるために多くの修正がなされ得る。したがって、本教示は図面に示されて本明細書で説明される特定の実施例のみに限定されることを意図されず、本教示の範囲は上記の説明の範囲内にある任意の実施形態を包含することを意図される。
【図１】
0005922247.tif 000002
【図２】
0005922247.tif 000003
【図３】
0005922247.tif 000004
【図４】
0005922247.tif 000005
【図５】
0005922247.tif 000006
【図６】
0005922247.tif 000007
【図７】
0005922247.tif 000008
【図８】
0005922247.tif 000009
【図９】
0005922247.tif 000010
【図１０】
0005922247.tif 000011